【手続補正書】
【提出日】平成29年6月14日(2017.6.14)
【手続補正１】
【補正対象書類名】明細書
【補正対象項目名】００１０
【補正方法】変更
【補正の内容】
【００１０】
上記目的を達成するため、本発明の楽音発生装置は、ダウンピッキングにより発生するダウン波形音のデータ、およびアップピッキングにより発生するアップ波形音のデータを記憶する波形記憶手段から、発音を指示する現イベントと当該現イベントの前に入力された前回イベントとの関係が予め定められた条件を満たすか否かを判別する判別手段と、前記判別手段により予め定められた条件を満たすと判別された場合、前記波形記憶手段に記憶されるダウン波形音のデータおよびアップ波形音のデータを交互に読み出すとともに、当該読み出されたデータに基づく楽音を発音させる発音手段とを具備することを特徴とする。
【手続補正２】
【補正対象書類名】明細書
【補正対象項目名】００１１
【補正方法】変更
【補正の内容】
【００１１】
本発明の楽音発生方法は、ダウンピッキングにより発生するダウン波形音のデータ、およびアップピッキングにより発生するアップ波形音のデータを記憶する波形記憶手段と、発音手段とを有する楽音発生装置が、発音を指示する現イベントと当該現イベントの前に入力された前回イベントとの関係が予め定められた条件を満たすか否かを判別し、前記予め定められた条件を満たすと判別された場合、前記波形記憶手段に記憶されるダウン波形音のデータおよびアップ波形音のデータを交互に読み出すとともに、当該読み出されたデータに基づく楽音を前記発音手段に発音させる、ことを特徴とする。
【手続補正３】
【補正対象書類名】明細書
【補正対象項目名】００１２
【補正方法】変更
【補正の内容】
【００１２】
本発明のプログラムは、ダウンピッキングにより発生するダウン波形音のデータ、およびアップピッキングにより発生するアップ波形音のデータを記憶する波形記憶手段と、発音手段とを有する楽音発生装置として用いられるコンピュータに、発音を指示する現イベントと当該現イベントの前に入力された前回イベントとの関係が予め定められた条件を満たすか否かを判別するステップと、前記予め定められた条件を満たすと判別された場合、前記波形記憶手段に記憶されるダウン波形音のデータおよびアップ波形音のデータを交互に読み出すとともに、当該読み出されたデータに基づく楽音を前記発音手段に発音させるステップと、を実行させることを特徴とする。
【手続補正４】
【補正対象書類名】特許請求の範囲
【補正対象項目名】全文
【補正方法】変更
【補正の内容】
【特許請求の範囲】
【請求項１】
ダウンピッキングにより発生するダウン波形音のデータ、およびアップピッキングにより発生するアップ波形音のデータを記憶する波形記憶手段から、発音を指示する現イベントと当該現イベントの前に入力された前回イベントとの関係が予め定められた条件を満たすか否かを判別する判別手段と、
前記判別手段により予め定められた条件を満たすと判別された場合、前記波形記憶手段に記憶されるダウン波形音のデータおよびアップ波形音のデータを交互に読み出すとともに、当該読み出されたデータに基づく楽音を発音させる発音手段と
を具備することを特徴とする楽音発生装置。
【請求項２】
前記判別手段は、前記現イベントの入力タイミングと前回イベントの入力タイミングとの間隔が第１の時間長以上でかつ第２の時間長以下であって、さらに当該現イベントの発音音高と前回イベントの発音音高とが一致していることを、前記予め設定された条件とすることを特徴とする請求項１記載の楽音発生装置。
【請求項３】
前記発音手段はさらに、前記判別手段により、前記現イベントの入力タイミングと前回イベントの入力タイミングとの間隔が前記第２の時間長を超えているため、前記予め設定された条件を満たしていないと判別された場合に、前記波形記憶手段に記憶されるダウン波形音のデータおよびアップ波形音のデータのうち、予め指定されたデータを読み出すことを特徴とする請求項２記載の楽音発生装置。
【請求項４】
前記発音手段はさらに、前記判定手段により、前記現イベントの入力タイミングと前回イベントの入力タイミングとの間隔が前記第１の時間長より短いために、前記予め設定された条件を満たしていないと判別された場合に、前記前回イベントの入力に応答して前記波形記憶手段から読み出されたデータと同一のデータを、前記現イベントの入力に応答して前記波形記憶手段から読み出すことを特徴とする請求項２または３記載の楽音発生装置。
【請求項５】
前記発音手段はさらに、前記判定手段により、前記現イベントの発音音高と前回イベントの発音音高とが一致せず、かつ当該現イベントの発音音高と前記前回イベントの発音音高との差が第１の判定値より小さいために、前記予め設定された条件を満たしていないと判別された場合に、前記前回イベントの入力に応答して前記波形記憶手段から読み出されたデータと異なるデータを、前記現イベントの入力に応答して前記波形記憶手段から読み出すことを特徴とする請求項２乃至４のいずれかに記載の楽音発生装置。
【請求項６】
前記発音手段はさらに、前記判定手段により、前記現イベントの発音音高と前回イベントの発音音高とが一致せず、さらに当該現イベントの発音音高が前記前回イベントの発音音高より低いために、前記予め設定された条件を満たしていないと判別された場合でかつ、前記前回イベントに対応する楽音が発音中である場合は、前記現イベントの入力に応答して前記波形記憶手段からアップ波形音のデータを読み出すことを特徴とする請求項２乃至５のいずれかに記載の楽音発生装置。
【請求項７】
前記発音手段はさらに、前記判定手段により、前記現イベントの発音音高と前回イベントの発音音高とが一致せず、さらに当該現イベントの発音音高が前記前回イベントの発音音高より高いために、前記予め設定された条件を満たしていないと判別された場合でかつ、前記前回イベントに対応する楽音が発音中である場合は、前記現イベントの入力に応答して前記波形記憶手段からダウン波形音のデータを読み出すことを特徴とする請求項２乃至６のいずれかに記載の楽音発生装置。
【請求項８】
乱数を発生する乱数発生手段を更に備え、
前記発音手段はさらに、前記判定手段により、前記現イベントの発音音高と前回イベントの発音音高とが一致しないために、前記予め設定された条件を満たしていないと判別された場合でかつ、前記前回イベントに対応する楽音が発音しておらず、前記乱数発生手段で発生した乱数が所定値より大きい場合には、前記前回イベントの入力に応答して前記波形記憶手段から読み出されたデータと異なるデータを、前記現イベントの入力に応答して前記波形記憶手段から読み出す一方、前記発生した乱数が所定値より小さい場合には、前記前回イベントの入力に応答して前記波形記憶手段から読み出されたデータと同一のデータを、前記現イベントの入力に応答して前記波形記憶手段から読み出すことを特徴とする請求項２乃至７のいずれかに記載の楽音発生装置。
【請求項９】
ダウンピッキングにより発生するダウン波形音のデータ、およびアップピッキングにより発生するアップ波形音のデータを記憶する波形記憶手段と、発音手段とを有する楽音発生装置が、
発音を指示する現イベントと当該現イベントの前に入力された前回イベントとの関係が予め定められた条件を満たすか否かを判別し、
前記予め定められた条件を満たすと判別された場合、前記波形記憶手段に記憶されるダウン波形音のデータおよびアップ波形音のデータを交互に読み出すとともに、当該読み出されたデータに基づく楽音を前記発音手段に発音させる、楽音発生方法。
【請求項１０】
ダウンピッキングにより発生するダウン波形音のデータ、およびアップピッキングにより発生するアップ波形音のデータを記憶する波形記憶手段と、発音手段とを有する楽音発生装置として用いられるコンピュータに、
発音を指示する現イベントと当該現イベントの前に入力された前回イベントとの関係が予め定められた条件を満たすか否かを判別するステップと、
前記予め定められた条件を満たすと判別された場合、前記波形記憶手段に記憶されるダウン波形音のデータおよびアップ波形音のデータを交互に読み出すとともに、当該読み出されたデータに基づく楽音を前記発音手段に発音させるステップと、
を実行させるプログラム。
【請求項１１】
請求項１乃至８のいずれかに記載の楽音発生装置と、
演奏者による押鍵操作に応答して前記イベントを生成するとともに、当該生成されたイベントを前記楽音発生装置に入力させる鍵盤と、
を有する電子楽器。